(57)【要約】【課題】簡単な構造配置及び優れた清掃効果を有する自走式モップ装置を提供する。【解決手段】一つの本体２０、一つのモップ３０、一つの動力装置及び一つの制御装置を備える。モップ３０は、地面を掃除するため、本体２０に外し可能に設けられている。動力装置は、本体２０に設けられ、二つの相対の駆動輪と二つの相対のモータを有する。各モータは、一つの駆動輪に連結され、駆動輪を駆動し回転させる。本体２０は、二つの駆動輪の正転によって、モップ３０を動かして前進する。制御装置は、本体２０内に設けられ、且つ電気的に各モータに接続され、各モータの作動を制御する。本体２０が予定距離まで前進する場合、制御装置は、一方のモータを制御し逆転させ、他方のモータを制御し正転させる。本体２０は、二つの駆動輪の正転または逆転によって、モップ３０を動かし予定の角度（たとえば、３０度から３６０度まで）まで回転させ、清掃効果を向上する。【選択図】図１
2014151193.tif 000002
【特許請求の範囲】
【請求項１】
本体と、
外し可能に前記本体に設けられているモップと、
前記本体に設けられており、二つの互いに対向する駆動輪及び二つの互いに対向するモータを有し、各前記モータが前記駆動輪に接続され各前記駆動輪を駆動し回転させる動力装置と、
前記本体内に設けられ、且つ電気的に各前記モータに接続され、各前記モータの動作を制御する制御装置と、を備え、
前記本体は、二つの前記駆動輪の正転によって、前記モップを動かし、所定距離まで前進すると、前記制御装置により、一方の前記モータを逆転させ、他方の前記モータを正転させ、二つの前記駆動輪の正転および逆転によって、前記モップを動かし、前記モップを所定角度回転させることを特徴とする自走式モップ装置。
【請求項２】
前記制御装置は、前記本体が所定角度回転した後、二つの前記モータが正転するよう制御を行い、
前記本体は、二つの前記駆動輪の正転によって、前記モップを動かし、回転後の方向に前進を続けることを特徴とする請求項１に記載の自走式モップ装置。
【請求項３】
前記本体は、外殻及びつば板を有し、
前記つば板は、前記外殻の外側面に接続されており、少なくとも二つのつば部を有し、
前記モップは、少なくとも二つの組立溝を有し、各前記組立溝の内部に前記つば部が挿設されていることを特徴とする請求項１に記載の自走式モップ装置。
【請求項４】
前記モップは、基部、複数の繊維糸、及び、少なくとも二つの固定片を有し、
前記繊維糸は、前記基部の底面に接続されており、
前記固定片は、前記基部の頂面に設けられており、前記基部の頂面との間に、前記組立溝を形成することを特徴とする請求項３に記載の自走式モップ装置。
【請求項５】
少なくとも二つの感磁部材をさらに備え、
前記つば板は、各前記つば部に、磁石が設けられており、
前記感磁部材は、前記固定片の頂面を押圧し、前記磁石に吸着および固定されていることを特徴とする請求項４に記載の自走式モップ装置。
【請求項６】
前記固定片は、一端が前記基部の頂面に固定され、他端が面ファスナによって、前記基部の頂面に張り付けられていることを特徴とする請求項５に記載の自走式モップ装置。
【請求項７】
前記本体は、外殻及びつば板を有し、
前記つば板は、前記外殻の外側面に接続されており、底面に少なくとも二つの磁石が設置されており、
前記モップは、基部、複数の繊維糸、及び、少なくとも二つの感磁部材を有し、
前記繊維糸は、前記基部の底面に連結されており、
前記感磁部材は、前記基部の頂面に固定されており、且つ前記磁石に吸着および固定されていることを特徴とする請求項１に記載の自走式モップ装置。
【請求項８】
前記感磁部材は、頂面凹溝を有し、
前記磁石は、前記感磁部材の前記頂面凹溝内に嵌設されていることを特徴とする請求項７に記載の自走式モップ装置。
【請求項９】
前記制御装置は、前記本体と障害物の間の距離を測定する測距ユニットを有することを特徴とする請求項１に記載の自走式モップ装置。
【請求項１０】
前記制御装置は、前記モータの電流の強さを測定する電流測定ユニットを有することを特徴とする請求項１に記載の自走式モップ装置。
【請求項１１】
前記本体は、提上部を有することを特徴とする請求項１に記載の自走式モップ装置。
【請求項１２】
前記本体は、外殻、取り付け座体、つば板、少なくとも二つの連結部材、及び、少なくとも二つの弾性部材を有し、
前記取り付け座体は、前記外殻内に設けられており、底面から上方向に伸びる少なくとも二つの第一軸管を有し、
前記つば板は、頂面から上方向に伸びる少なくとも二つの第二軸管を有し、
前記第二軸管は、軸方向に移動可能に、前記取り付け座体の前記第一軸管に穿設されており、
前記連結部材は、前記取り付け座体の前記第一軸管及び前記つば板の前記第二軸管に連結されており、
前記弾性部材は、前記連結部材に嵌設されており、前記取り付け座体の前記第一軸管の端壁と、前記つば板の前記第二軸管の端壁との間に当接されており、
前記モップは、前記つば板の外周縁部に接続されており、
前記動力装置は、前記取り付け座体に設けられていることを特徴とする請求項１に記載の自走式モップ装置。
【請求項１３】
環状水槽をさらに備え、
前記環状水槽は、前記本体の前記外殻に嵌設されており、且つ一つの第一当接部及び二つの第一当接部に設けられている位置決め凹部を有し、
前記本体の前記外殻の外側面は、第二当接部及び第二当接部に設置された位置決め凸部を有し
前記本体の前記外殻の第二当接部は、前記環状水槽の第一当接部に当接しており、
前記本体の前記外殻の位置決め凸部は、分離可能に前記環状水槽の前記位置決め凹部に嵌接されていることを特徴とする請求項１２に記載の自走式モップ装置。
【請求項１４】
前記本体のつば板は、前記モップに対応する下側注水孔を有し、
前記環状水槽は、前記下側注水孔と連通する上側注水孔を有し、前記上側注水孔に排水弁が内設されており、
前記排水弁は、排水孔を有し、前記排水孔に制御弁が内設されていることを特徴とする請求項１３に記載の自走式モップ装置。
【発明の詳細な説明】
【技術分野】
【０００１】
本発明は、自走式掃除装置に関し、特に自走式モップ装置に関する。
【背景技術】
【０００２】
通常、床を掃除する工具の中に最も多くあるのは、モップと水桶の合わせである。つまり、使用者は、先ずモップのヘッドを水桶中の水に浸け、両手でモップを捩じり、水を絞り、床を拭き、汚れたモップを水桶の中の水に浸け、両手で汚れた部分を除去し、捩じり、水を絞った後、再び、床を拭く。地面が綺麗になるまで、このような操作の繰り返しは、普通の人にとって、相当な時間と力を費やしている。
【０００３】
現在、快速にモップを捩じり、水を絞る脱水装置が多く存在している。たとえば、特許文献１、特許文献２及び特許文献３に記載の考案である。しかしながら、これらの装置が、モップを捩じり、水を絞った後、相変わらず人が地面を拭くため、使用上に改善したところは限りがある。従って、床を擦り洗う利便性を向上するために、特許文献４に記載の発明では、ロボットが自動的に床を掃除することによって、人間の掃除負担を軽減する。しかしながら、この特許は、複雑な構造及び限定的な清掃効果の問題を有するだけではなく、刷毛が損壊または汚れた場合、刷毛を取り替えるため、刷毛と連結されている洗浄皿を一緒に外さなければならない。よって、修理上の面倒及び不便が存在する。
【先行技術文献】
【特許文献】
【０００４】
【特許文献１】台湾実用新案登録第Ｍ３９４７９３号明細書
【特許文献２】台湾実用新案登録第Ｍ４２７１２１号明細書
【特許文献３】台湾実用新案登録第Ｍ４３６４３８号明細書
【特許文献４】台湾特許登録第Ｉ３４５９６１号明細書
【発明の概要】
【発明が解決しようとする課題】
【０００５】
本発明の主な目的は、簡単な構造配置及び優れた清掃効果を有する自走式モップ装置を提供することにある。
【課題を解決するための手段】
【０００６】
本発明の自走式モップ装置は、一つの本体、一つのモップ、一つの動力装置及び一つの制御装置を備える。モップは、地面を掃除するため、本体に外し可能に設けられている。動力装置は、本体に設けられ、二つの相対の駆動輪と二つの相対のモータを有する。各モータは、一つの駆動輪に連結され、駆動輪を駆動し回転させる。本体は、二つの駆動輪の正転によって、モップを動かして前進する。制御装置は、本体内に設けられ、且つ電気的に各モータに接続され、各モータの作動を制御する。本体が予定距離まで前進する場合、制御装置は、一方のモータを制御し逆転させ、他方のモータを制御し正転させる。本体は、二つの駆動輪の正転または逆転によって、モップを動かし予定の角度（たとえば、３０度から３６０度まで）まで回転させ、清掃効果を向上する。
【０００７】
本発明では、本体は、一つのつば板を有する。つば板は、少なくとも二つのつば部を有する。モップは、一つの基部、複数の繊維糸及び少なくとも二つの固定片を有する。各繊維糸は、基部の底面に連結されている。各固定片は、基部の頂面に設けられ、基部の頂面との間に、つば板の各つば部が挿設するための一つの組立溝を形成する。モップが快速に本体から外されることができるため、便利に洗浄することができ、取り替えることができる効果を有する。
【０００８】
本発明では、つば板の各つば部に一つの磁石が設けられている。つば部は、少なくとも二つの感磁部材がそれぞれ一つの固定片の頂面を押圧し、且つ対応する磁石に吸着されることによって、固定され、モップに下方への圧力を増加する。よって、モップの清掃効果が高まる。
【０００９】
本発明では、つば板の底面に少なくとも二つの磁石が設けられている。モップは、複数の繊維糸及び少なくとも二つの感磁部材を有する。各繊維糸は、基部の底面に接続されている。各感磁部材は、モップを外す利便性を高めるために、基部の頂面に固定され、且つ一つの磁石に吸着かつ固定されている。
【００１０】
本発明では、本体は、一つの外殻、動力装置が設けられている一つの取り付け座体、モップが設けられているつば板、少なくとも二つの連結部材、及び、少なくとも二つの弾性部材を有する。取り付け座体は、外殻内に設けられ、少なくとも二つの第一軸管を有する。つば板は、少なくとも二つの第二軸管を有する。各第二軸管は、軸方向に移動可能に、取り付け座体の第一軸管内に穿設されている。各連結部材は、取り付け座体の一つの第一軸管及びつば板の一つの第二軸管に連結されている。各弾性部材は、一つの連結部材に嵌設され、且つ取り付け座体の一つの第一軸管の端壁とつば板の一つの第二軸管の端壁の間に着接されており、取り付け座体の底面とつば板頂面の間に予定の高さを保持させ、モップの重量が動力装置に与える負荷を低減する。
【００１１】
本発明では、一つの環状水槽は、本体の外殻に嵌設されている。この水槽は、モップに適量な水分を提供するとこによって、作業中のモップの湿潤な状態を保持する。
【図面の簡単な説明】
【００１２】
【図１】本発明の第一実施形態による自走式モップ装置を示す斜視図である。
【図２】本発明の第一実施形態による自走式モップ装置を示す分解斜視図である。
【図３】本発明の第一実施形態による自走式モップ装置を示す平面図である。
【図４】本発明の第一実施形態による自走式モップ装置を示すブロック図である。
【図５】本発明の第二実施形態による自走式モップ装置を示す分解斜視図である。
【図６】本発明の第三実施形態による自走式モップ装置を示す分解斜視図である。
【図７】本発明の第四実施形態による自走式モップ装置を示す分解斜視図である。
【図８】本発明の第四実施形態による自走式モップ装置を示す斜視図である。
【図９】本発明の第四実施形態による自走式モップ装置を示す分解斜視図である。
【図１０】本発明の第四実施形態による自走式モップ装置を示す断面図である。
【図１１】本発明の第四実施形態による自走式モップ装置モップを示す分解斜視図である。
【発明を実施するための形態】
【００１３】
（第一実施形態）
図１から図３に示すように、本発明の第一実施形態による自走式モップ装置１０は、一つの本体２０、一つのモップ３０、一つの動力装置４０及び一つの制御装置を備える。
【００１４】
本体２０は、一つの外殻２２、一つの取り付け座体２４及び一つのつば板を有する。外殻２２は、頂面が凹んで、二つの互いに対向している持上部２８が形成されている。（実際は、少なくとも一つ）。使用者は、便利に指で一つの持上部２８を掴んで、本体２０を上げる。取り付け座体２４は、外殻内に固定されている。つば板２６は、本実施形態の中で軟性樹脂、軟性ゴム、あるいは他の柔軟なゴム材質で作られている。また、つば板２６は、本実施形態の中に、直接に外殻２２の外側面に連結され、対称的に分布されている四つのつば部２６２を有する。
【００１５】
モップ３０は、一つの基部３２、複数の繊維糸３４及び四つの固定片３６を有する。各繊維糸３４は、基部３２の底面に連結され、地面を掃除し、雑物を吸着する功能を有する。実際に使用される場合、完全に浸水しなくてもよい、あるいは、少し水に浸けられ、湿潤されてもよい。各固定片３６の一端は、器機で縫われ、基部３２の頂面に固定されている。各固定片３６は、他の一端が一つの面ファスナ３６２によって、基部３２の頂面に張り付く。各固定片３６と基部３２の頂面の間に、本体２０のつば板２６のつば部２６２を挿設するための一つの組立溝３８が形成されている。モップ３０は、外し可能な方式で本体２０に取り付くことができる。
【００１６】
図３にしめしたように、動力装置４０は、二つの互いに対向する駆動輪４２と二つの互いに対向するモータ４４及び一つの充電電池４６を有する。各駆動輪４２は、回転可能に本体２０の取り付け座体２４の両側に設けられ、一部が取り付け座体２４の底面から露出している。各モータ４４は、本体２０の取り付け座体２４内に設置され、駆動輪を動かし回転させるために、一つの駆動輪に連結されている。電力エネルギー源を提供するために、充電電池４６は、本体２０の取り付け座体２４内に設けられ、電気的に各モータ４４に接続されている。このほか、便利に充電電池４６を充電するために、電気的に充電電池４６に接続された充電差込孔２４２は、本体２０の取り付け座体２４に設置されている。また、充電差込孔２４２と繋がる一つの貫通孔２２１は、本体２０の外殻２２に設けられている。充電器の一つの充電端子（図示させず）は、便利に貫通孔２２１を通し、充電差込孔２４２に挿入可能である。
【００１７】
制御装置５０は、本体２０の外殻２２内に設置され、各モータの作動、たとえば正転、逆転、あるいは運転停止を制御するために、電気的に各モータ及び充電電池４６に接続されている。他に、図４に示したように、制御装置５０は、本体２０と障害物の間の距離を計測する測距ユニット５２を有する。制御装置５０は、各測距ユニット５２の計測結果によって、一つのモータ４４を制御し運転を停止させ、あるいは二つのモータを制御し同時に逆転させる。よって、本体２０は、駆動され、方向転換、または後退によって、有効的に障害物を避けることができる。また、制御装置５０は、運転するときの各モータ４４の電流の強さの変化を測定する一つの電流測定ユニットをさらに有する。制御装置５０は、電流感測ユニット５４の測定結果によって、各モータ４４を制御し、周囲環境の変化に合わせて作動する。
【００１８】
使用開始時に、各モータ４４は、制御装置５０の制御を受け、連結された駆動輪４２を駆動し同時に正転させる。本体２０は、二つの駆動輪４２の正転によって、モップ３０を動かし前進させ、地面の清掃を行う。本体２０が制御装置５０に設定された予定距離（たとえば、１０メートル）まで前進する場合、制御装置５０は、一つのモータ４４を制御し、モータに連結された駆動輪を駆動し逆転させ、同時に、他の一つのモータ４４を制御し、モータに連結された駆動輪を駆動し正転を持続させる。このとき、本体２０は、両駆動輪４２の正転と逆転によって、モップ３０を動かし、予定角度まで回転する（ここに回転角度の範囲が３０度から３６０度までだが、最適の回転角度は１８０度である）。次に、本体２０がモップ３０を動かし、予定角度まで回転した後、制御装置５０は、再び二つのモータ４４を制御し同時に正転させる。本体２０は、モップを動かし、回転後の方向に前進を続ける。本体２０は、上述の予定距離まで前進するときに、再びモップ３０を動かし、前述の回転を行う。つまり、本体２０は、地面の清掃を完成するまでに、全使用過程にモップ３０を動かし、ずっと前進および回転を重複する。
【００１９】
一方、本体２０からモップを外し、洗浄、あるいは取替えを行う時に、モップの各固定片３６が面ファスナ３６２の貼り付く位置から引き裂かれることで、本体２０のつば板２６の各つば部２６２が快速にモップ３０の各組立溝３８から外れることができる。洗浄、あるいは、新しいモップ３０を取り替えた後、本体２０のつば板２６の各つば部２６２をモップ３０の各組立溝３８の位置に置くことで、最後に各面ファスナ３６２が各固定片３６を張り付き、固定することによって、両者の組立が完成する。
【００２０】
（第二実施形態）
床板の材質に合わせ、モップ３０の清掃効果を上げるために、図５に示す第二実施形態の中に、つば板２６の各つば部２６２の頂面に一つの磁石が設けられている。つば板２６は、各つば部２６２がモップ３０の各組立溝３８内に装設された後、四つの感磁部材６２（たとえば、鉄片）がモップ３０の各固定片３６の頂面を押圧し、対応する磁石６０に吸着されることによって、固定される。よって、モップ３０への下方向の圧力が増加するため、モップ３０の清掃効果が更に有効に向上する。
【００２１】
（第三実施形態）
他に、磁石６０及び感磁部材６２の位置を変えることができる。図６に示す第三実施形態の中に、磁石６０がつば板２６の各つば部２６２の底面に固定される一方、各感磁部材６２が本来の固定片３６の変わりに、直接にモップ３０の基部３２の頂面に固定されている。また、各感磁部材６２は、対応する磁石６０を嵌設、固定するために、一つの頂面凹溝を有する。よって、本体２０とモップ３０が互いに吸着する各磁石６０及び各感磁部材６２により、快速に分解されることができるため、モップ３０の分解利便性が高くなる。
【００２２】
本発明の自走式モップ装置１０は、極めて簡単な構造を有するだけではなく、使用過程にモップ３０の回転により、清潔効果を向上することができる。モップ３０が汚れる場合、快速に本体２０からモップ３０を外し、洗浄、あるいは取替えを行うことができるため、利便性を向上する目的が確実に達成されている。
【００２３】
（第四実施形態）
図７から図９は、本発明の第４実施形態による自走式モップ装置１２を示す。この実施形態と前述第１実施形態の間の主な差異は、本体７０の構造及び環状水槽８０の設置にある。
【００２４】
本体７０は、外殻７１の外側面に持上部７１２を有し、外殻７１内に取り付け座体７２が固定されている。また、図１０に示すように、取り付け座体７２は、頂面から上方に伸びる四本の第一軸管７３が形成されている。本体７０は、つば板７４の頂面から上方に伸びる四本の第二軸管７５が形成されている。組立の時に、つば板７４の第二軸管７５は、取り付け座体７２の第一軸管７３に穿設され、一つの連結部材７６（図に示されたボルト）により、固定されている。各連結部材７６は、弾性部材に嵌設されている。弾性部材７７の両端は、それぞれ取り付け座体７２の第一軸管７３の端壁とつば板７４の第二軸管７５の端壁の間に着接されている。よって、組立完成の後、取り付け座体７２の底面とつば板７４の頂面の間に予定の高さが保持される。モップ９０がつば板７４に組み立てられた後、自身の重量が動力装置４０に与える負荷が減軽される。
【００２５】
図９から図１１に示すように、環状水槽８０は、一つの上蓋８２が一つの下蓋８４に突き合わせ、結合されることによって、形成されている。図１１は、環状水槽８０の位置決め凹部８４３と本体２０の外殻２２の位置決め凸部７１６との間の構造関係を示す図である。下蓋８４は、内側円周面に、一つの第一当接部８４２及び二つの第一当接部８４２に設けられている位置決め凹部８４３を有する。また、下蓋８４は、二つの互いに対向する上側注水孔８４６を有する。柔軟なゴム材質で作られた排水弁８３は、各上側注水孔８４６に内設され、二つの排水孔８３２を有する。環状水槽８０の排水量を制御するために、他の一つの柔軟なゴム材質で作られた制御弁８５が排水弁８３の排水孔８３２内に設置されている。他に、環状水槽８０の構造に合わせるために、本体７０の外殻７１の外側面は、一つの持上部７１２の下方に設けられた第二当接部７１４及び二つの互いに対向している第二当接部７１４に設置された位置決め凸部７１６を有する。本体７０のつば板７４は、二つの互いに対向する下側注水孔７４４を有する。組立の時に、環状水槽８０は、本体７０の外殻７１に嵌設されている。環状水槽は、各位置決め凹部８４３が本体７０の外殻７１の位置決め凸部７１６に結合することによって、本体７０の外殻７１に穏やかに組立てられているため、容易に動くことができない。
【００２６】
組立が完成後、環状水槽８０の上側注水孔８４６が排水弁８３及び制御弁８５を通し、本体７０のつば板７４の下側注水孔７４４と連通するため、環状水槽８０に貯蔵された水の量は、制御弁８５により制御される。水は、つば板７４の下側注水孔７４４を通し、モップ９０に提供される。モップ９０が長時間の湿潤状態を保つことができるため、使用上の利便性が高くなる。組立が完の後、モップ９０は、制御弁８５を支える。排水弁８３は、柔軟な材質により形成されているため、環状水槽８０からの圧力を受ける時に、適切な変形を生じる。よって、この圧力が制御弁８５を通し、モップ９０に過度に集中的な圧力を加え、更にモップ９０の清掃効果に影響を洗えることが回避される。
【００２７】
本体７０とモップ９０の間の組立方式は、前述の各実施形態と異なる。詳しく説明すると、図７及び図８に示すように、本体７０のつば板７４の底面に複数のオス面ファスナ７８が設けられている一方、モップ９０の頂面にメス面ファスナ９２が設けられている。組立の時に、オス面ファスナ７８とメス面ファスナ９２の間の結合によって、モップ９０は、下から上に本体７０のつば板７４の底面に張り付くことができる。モップ３０が汚れる時に、快速に本体７０のつば板７４の底面からモップ３０を外し、洗浄、あるいは取替えを行うことができるため、使用上の利便性が高まる目的が達成されている。
【符号の説明】
【００２８】
１０、１２  自走式モップ装置          
２０  本体
２２  外殻                      
２２１  貫通孔
２４  取り付け座体              
２４２  充電差込口
２６  つば板                    
２６２  つば部
２８  持上部                    
３０  モップ
３２  基部                      
３４  繊維糸
３６  固定片                    
３６２  面ファスナ
３８  組立溝                    
４０  動力装置
４２  駆動輪                    
４４  モータ
４６  充電電池                  
５０  制御装置
５２  測距ユニット              
５４  電流測定ユニット  
６０  磁石                      
６２  感磁部材                
６４  頂面凹溝                  
７０  本体
７１  外殻                      
７１２  持上部
７１４  第二当接部                
７１６  位置決め凸部
７２  取り付け座体              
７３  第一軸管
７４  つば板                    
７４４  下側注水孔
７５  第二軸管                  
７６  連結部材
７７  弾性部材                  
７８  オス面ファスナ
８０  環状水槽                  
８２  上蓋
８３  排水弁                    
８３２  排水孔
８４  下蓋                      
８４２  第一当接部
８４３  位置決め凹部              
８４６  上側注水孔
８５  制御弁                    
９０  モップ
９２  メス面ファスナ
【図１】
2014151193.tif 000003
【図２】
2014151193.tif 000004
【図３】
2014151193.tif 000005
【図４】
2014151193.tif 000006
【図５】
2014151193.tif 000007
【図６】
2014151193.tif 000008
【図７】
2014151193.tif 000009
【図８】
2014151193.tif 000010
【図９】
2014151193.tif 000011
【図１０】
2014151193.tif 000012
【図１１】
2014151193.tif 000013